【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
２つ以上の電気基板を備え、少なくとも一の電気基板は他の電気基板よりも下側に位置する画像形成装置において、下側の電気基板から生ずる熱が画像形成装置の外部に案内されるような空気流動がこの電気基板の上側に形成されることを特徴とする画像形成装置。
【請求項２】
上側に位置する電気基板と下側に位置する電気基板との間に風路を形成し該画像形成装置内部の空気を外部へ排気する風路形成手段を設けることを特徴とする請求項１に記載の画像形成装置。
【請求項３】
前記風路形成手段は、ダクトであり、該ダクト内部に空気流動を生じさせることを特徴とする請求項２に記載の画像形成装置。
【請求項４】
前記風路形成手段であるダクト内部に、吸気または排気する送風手段を設けることを特徴とする請求項３に記載の画像形成装置。
【請求項５】
前記ダクトの面であって下側に位置する電気基板側の面に、該下側に位置する電気基板からの空気流動を該ダクト内に導く開口部を設けることを特徴とする請求項３または４に記載の画像形成装置。
【請求項６】
下側に位置する電気基板から発生する熱による空気流動が上側に位置する電気基板へ達するのを遮断して画像形成装置本体外部に該空気流動を導く風路変更部材を設けること特徴とする請求項２乃至５のいずれか１項に記載の画像形成装置。
【請求項７】
前記風路形成手段と前記風路変更部材は一体に形成されていることを特徴とする請求項６に記載の画像形成装置。
【請求項８】
下側に位置する電気基板に吸気または排気する送風手段を設け、該送風手段は下側に位置する電気基板から生じる空気流動の流れに逆らわない方向に送風することを特徴とする請求項１乃至７のいずれか１項に記載の画像形成装置。
【請求項９】
上側に位置する電気基板に吸気または排気する送風手段を設け、該送風手段は上側に位
置する電気基板から生じる空気流動の流れに逆らわない方向に送風することを特徴とする請求項１乃至８のいずれか１項に記載の画像形成装置。
【請求項１０】
上側に位置する電気基板に設けられた送風手段は、前記風路形成手段の排気方向に対して略直交する方向から吸気することを特徴とする請求項９に記載の画像形成装置。
【請求項１１】
記録材に画像を形成し定着する画像形成手段を有する画像形成装置において、上側に位置する電気基板と該画像形成手段とを画像形成装置本体フレームを隔てて配置し、前記風路形成手段は、前記画像形成装置本体フレームと上側に位置する電気基板との間に空気の通路を設けていることを特徴とする請求項１乃至１０のいずれか１項に記載の画像形成装置。
【請求項１２】
画像形成手段内で記録材に画像を定着する定着装置を有し、前記画像形成装置本体フレームと上側に位置する電気基板との間に設けられた前記風路形成手段の空気の通路から、該定着装置から生ずる熱を伴う空気を排気することを特徴とする請求項１１に記載の画像形成装置。
【請求項１３】
下側に位置する電気基板は、画像形成装置本体の電源装置であることを特徴とする請求項１乃至１２のいずれか１項に記載の画像形成装置。
【請求項１４】
上側に位置する電気基板は、画像形成装置本体の制御装置であることを特徴とする請求項１乃至１３のいずれか１項に記載の画像形成装置。
【手続補正２】
【補正対象書類名】明細書
【補正対象項目名】００１４
【補正方法】変更
【補正の内容】
【００１４】
【課題を解決するための手段】
上記目的を達成するために本発明にあっては、２つ以上の電気基板を備え、少なくとも一の電気基板は他の電気基板よりも下側に位置する画像形成装置において、下側の電気基板から生ずる熱が画像形成装置の外部に案内されるような空気流動がこの電気基板の上側に形成されることを特徴とする。
【手続補正３】
【補正対象書類名】明細書
【補正対象項目名】００１８
【補正方法】変更
【補正の内容】
【００１８】
また、前記ダクトの面であって下側に位置する電気基板側の面に、該下側に位置する電気基板からの空気流動を該ダクト内に導く開口部を設けることは好適である。
【手続補正４】
【補正対象書類名】明細書
【補正対象項目名】００２１
【補正方法】変更
【補正の内容】
【００２１】
また、下側に位置する電気基板に吸気または排気する送風手段を設け、該送風手段は下側に位置する電気基板から生じる空気流動の流れに逆らわない方向に送風することは好適である。
【手続補正５】
【補正対象書類名】明細書
【補正対象項目名】００２２
【補正方法】変更
【補正の内容】
【００２２】
また、上側に位置する電気基板に吸気または排気する送風手段を設け、該送風手段は上側に位置する電気基板から生じる空気流動の流れに逆らわない方向に送風することは好適である。
【手続補正６】
【補正対象書類名】明細書
【補正対象項目名】００２３
【補正方法】変更
【補正の内容】
【００２３】
また、上側に位置する電気基板に設けられた送風手段は、前記風路形成手段の排気方向に対して略直交する方向から吸気することは好適である。
【手続補正７】
【補正対象書類名】明細書
【補正対象項目名】００２４
【補正方法】変更
【補正の内容】
【００２４】
また、記録材に画像を形成し定着する画像形成手段を有する画像形成装置において、上側に位置する電気基板と該画像形成手段とを画像形成装置本体フレームを隔てて配置し、前記風路形成手段は、前記画像形成装置本体フレームと上側に位置する電気基板との間に空気の通路を設けていることは好適である。
【手続補正８】
【補正対象書類名】明細書
【補正対象項目名】００２５
【補正方法】変更
【補正の内容】
【００２５】
また、画像形成手段内で記録材に画像を定着する定着装置を有し、前記画像形成装置本体フレームと上側に位置する電気基板との間に設けられた前記風路形成手段の空気の通路から、該定着装置から生ずる熱を伴う空気を排気することは好適である。
【手続補正９】
【補正対象書類名】明細書
【補正対象項目名】００２６
【補正方法】変更
【補正の内容】
【００２６】
また、下側に位置する電気基板は、画像形成装置本体の電源装置であることは好適である。
【手続補正１０】
【補正対象書類名】明細書
【補正対象項目名】００２７
【補正方法】変更
【補正の内容】
【００２７】
また、上側に位置する電気基板は、画像形成装置本体の制御装置であることは好適である。
【手続補正１１】
【補正対象書類名】明細書
【補正対象項目名】００６９
【補正方法】変更
【補正の内容】
【００６９】
【発明の効果】
以上説明したように、本発明は、２つ以上の電気基板を備え、少なくとも一の電気基板は他の電気基板よりも下側に位置する画像形成装置において、上側に位置する電気基板と下側に位置する電気基板との間に、例えばダクト等の風路形成手段を設け、該画像形成装置内部の空気を外部へ排気することで、空気流動を生じさせ、下側に位置する電気基板から生じる熱による上側に位置する電気基板への影響を減少させることができる。
【手続補正１２】
【補正対象書類名】明細書
【補正対象項目名】００７１
【補正方法】変更
【補正の内容】
【００７１】
さらに、前記ダクトの面であって下側に位置する電気基板側の面に、該下側に位置する電気基板からの空気流動を導く開口部を設けることにより、下側に位置する電気基板からの空気流動と風路形成手段内の空気流動とを合流させ、特に風路形成手段内に設けられた送風手段の送風により強制的に空気流動を生じさせた場合に、風路形成手段内の空気流動との圧力差により下側に位置する電気基板から生じる空気流動を該風路形成手段内部に導くことにより下側に位置する電気基板から生じる熱を伴う空気の排出を促進させることができる。
【手続補正１３】
【補正対象書類名】明細書
【補正対象項目名】００７４
【補正方法】変更
【補正の内容】
【００７４】
下側に位置する電気基板に吸気または排気する送風手段を設け、該送風手段は下側に位置する電気基板から生じる空気流動の流れに逆らわない方向に送風することで、該電気基板の発熱量が多い場合でも効果的に熱を伴う空気を排出することができる。
【手続補正１４】
【補正対象書類名】明細書
【補正対象項目名】００７５
【補正方法】変更
【補正の内容】
【００７５】
同様に、上側に位置する電気基板に吸気または排気する送風手段を設け、該送風手段は上側に位置する電気基板から生じる空気流動の流れに逆らわない方向に送風することで、該電気基板の発熱量が多い場合でも効果的に熱を伴う空気を排出することができる。
【手続補正１５】
【補正対象書類名】明細書
【補正対象項目名】００７６
【補正方法】変更
【補正の内容】
【００７６】
そして、上側に位置する電気基板に設けられた送風手段は、前記風路形成手段の排気方向に対して略直交する方向から吸気することで、さらに該電気基板の発熱量が多い場合でも効果的に熱を伴う空気を排出することができる。
【手続補正１６】
【補正対象書類名】明細書
【補正対象項目名】００７７
【補正方法】変更
【補正の内容】
【００７７】
また、記録材に画像を形成し定着する画像形成手段を有する画像形成装置において、上側に位置する電気基板と該画像形成手段とを画像形成装置本体フレームを隔てて配置し、前記風路形成手段は、前記画像形成装置本体フレームと上側に位置する電気基板との間に空気の通路を設けることで、例えば画像形成手段内で記録材に画像を定着する定着装置と上側に位置する電気基板とを該風路形成手段を隔てて配置することができるので、従来の単に本体フレームを隔てて配置するのに比べると、該定着装置からの熱による上側に位置する電気基板への影響を減少させることができる。
【手続補正１７】
【補正対象書類名】明細書
【補正対象項目名】００８０
【補正方法】変更
【補正の内容】
【００８０】
また、下側に位置する電気基板を画像形成装置本体の電源装置とし、本発明を適用することで、電源装置から生ずる熱の他の部品への影響を減少することができる。
【手続補正１８】
【補正対象書類名】明細書
【補正対象項目名】００８１
【補正方法】変更
【補正の内容】
【００８１】
また、上側に位置する電気基板を画像形成装置本体の制御装置とし、本発明を適用することで、制御装置から生ずる熱の他の部品への影響を減少することができる。